(57)【特許請求の範囲】
【請求項１】
多数の照明器具を備えた１つの全体照明エリアが複数の単位調光制御エリアに区分され、前記複数の単位調光制御エリアのうちから、狭くとも隣接する他の単位調光制御エリアに配置された照明器具の照明の影響を受けない範囲に設定した単位調光制御エリアを代表単位調光制御エリアとし、
該代表単位調光制御エリアにのみ代表照度センサを配置し、
前記全体照明エリアの全ての照明器具の照度を制御するコントロールユニットは、前記代表照度センサからの照度信号に基づいて調光信号を生成し、この生成した調光信号を前記全体照明エリアの全ての照明器具に対し出力するものであり、
当該コントロールユニットは、前記代表単位調光制御エリア内の全ての照明器具が点灯状態にある条件が所定時間継続したと判断したとき、前記代表単位調光制御エリアに配設された前記代表照度センサの照度信号に基づいて調光信号を生成し、生成した調光信号を前記全体照明点灯エリアの全ての照明器具に対し出力して、当該照明器具の照度を統一して設定された照度に調光制御する照明制御システム。
【請求項２】
前記コントロールユニットは、
前記代表照度センサからの照度信号に基づいて調光信号を生成し、この生成した調光信号を代表単位調光制御エリアの全ての照明器具に出力し、このときの代表単位調光制御エリアの照度が所定の照度に達しているか否か判断し、所定の照度に達していないと判断したとき、前記代表照度センサから新たに取得した照度信号に基づいて調光信号を再度生成し、この再度生成した調光信号を代表単位調光制御エリアの全ての照明器具に再度出力する作業を、所定の照度に達していると判断されるまで繰り返し実行し、
所定の照度に達していると判断されたときの調光信号を、前記全体照明エリアの全ての照明器具に対し出力することを特徴とする請求項１に記載された照明制御システム。
【請求項３】
前記代表単位調光制御エリアは、前記単位調光制御エリアのうちから少なくとも２つ選択され、
代表照度センサは、前記選択された各代表単位調光制御エリアに配置され、
前記コントロールユニットは、前記各代表照度センサからの複数の照度信号を平均した照度信号に基づいて１つの調光信号を生成し、この生成した調光信号を前記各代表単位調光制御エリアの全ての照明器具に出力することを特徴とする請求項２に記載された照明制御システム。
【請求項４】
前記全体照明エリアは、昼光利用可能エリアを除く昼光利用不可能エリアとされていることを特徴とする請求項１乃至請求項３のいずれかに記載された照明制御システム。
【請求項５】
人検知センサが照明器具を点滅する区画である点灯エリア毎に設置され、前記人検知センサが人を検知したとき当該点灯エリアの照明器具を点灯し、前記人検知センサが人を検知しなくなったとき当該点灯エリアの照明器具を消灯・減光制御することを特徴とする請求項１乃至請求項４のいずれかに記載された照明制御システム。
【発明の詳細な説明】
【技術分野】
【０００１】
本発明は、オフィスの執務空間など比較的広い場所における照明器具の経年変化に伴う照明の劣化を自動的に調光出力制御する省エネ照明制御システムに関する。
【背景技術】
【０００２】
一般的に蛍光ランプは、点灯時間の経過とともにその発光量の低下や照明器具の汚れに伴う器具効率の低下などによって照明器具の照度が低下していく。このため、蛍光ランプの平均寿命を考慮して寿命末期においても設計照度が維持できるように、初期点灯時には設計照度に対してかなり明るい照度に設定されていた。
よって初期点灯時には、蛍光ランプの照度が設計照度に比べてかなり明るく、余分な明るさが発生するため、無駄なエネルギーが消費されていた。
【０００３】
省エネを図るため、照明制御装置により初期照度補正を行うこととすれば、蛍光ランプの明るさを常に設計照度に保ち、初期照度補正を行わない場合のように初期点灯時に余分な明るさが発生しないので、省エネルギーが実現することが可能となる。
【０００４】
このような照明制御装置を備えたものとして、照明器具の累積点灯時間に対して調光レベルを自動的に調整して照度を一定に保つ照明器具が知られている。
この照明器具は、ランプ１と、入力電源Ｐを入力されてランプ１を点灯させる電子式の安定器２と、入力電源Ｐによって動作し、安定器２を調光制御する調光信号Ｓｂを出力する調光制御部４と、リセット信号Ｓａを調光制御部４に出力するリセットスイッチ９とから構成されている（特許文献１）。
【０００５】
一方、照度センサの出力に基づいて調光する照明制御システムが一般的に採用されている（特許文献２）。
この一般的な照明制御システムは、照度センサ１台が受け持つ範囲である調光区分が、壁スイッチ等によりオン・オフ制御される点灯区分の範囲よりも広く設定されていることが多い。
【先行技術文献】
【特許文献】
【０００６】
【特許文献１】特許第４２５９１４０号公報
【特許文献２】特開平１１−７４０８７号公報
【発明の概要】
【発明が解決しようとする課題】
【０００７】
特許文献１の照明器具は、図９に示されるように、コントロールユニット部と照明器具部が一体化されているもので、コントロールユニット部の制御ＣＰＵは、使用時間計測タイマーが設定された累計点灯時間を計測したとき、調光信号を生成して調光回路に出力し、調光回路は調光信号に応じた光量にて照明器具を点灯するものである。
【０００８】
この照明器具の調光制御部であるコントロールユニット部は、調光レベルを自動的に調整して照度を一定に保つことができる反面、照明器具毎に調光制御部を備えていることから、照明器具単体の価格が高く、オフィスの執務空間など比較的広い場所における照明器具とすると、多数の照明器具を設置する必要があることから、イニシャルコストの増大要因となり適切でない。また、照明器具それぞれにタイマーの設定等の作業を伴い施工コストを押し上げることとなる。
【０００９】
特許文献２の照度センサの出力に基づいて調光する照明制御システムにおいては、調光区分の範囲が点灯区分の範囲よりも広く設定されていることが多いため、調光区分内のいずれかの点灯区分、特に照度センサの設置された当該点灯区分が消灯されていると、照度センサの検出値が消灯の影響を受けるため、調光区分内の他の点灯区分の照度出力を過剰にしてしまう事象が生じ、エネルギーの浪費を招くこととなる。
【００１０】
本発明は、上述した種々の課題を解決するために創作されたもので、照明器具単体のコストを低廉にするとともに、照明器具設置工事を簡略化して施工コストを低減し、複数の点灯エリアのうち１つ以上のエリアで消灯していれば、照度センサの信号レベルは低いものとなり、照明器具を補正すべき適正値より高めに補正することとなることを防止し、周辺の蛍光器具から受けるセンシングの影響を抑制して正確な調光制御を行って、明確に省エネルギーに資することが可能な照明制御システムを安価に提供することを目的とするものである。
【課題を解決するための手段】
【００１１】
本明細書には、所定の点灯時間を計時するタイマーを内蔵し、照度センサを具備しないコントロールユニットが、壁スイッチ等の点滅スイッチにより点灯・消灯する複数の照明器具が配設された点灯エリア毎に１つ配設され、前記点灯エリア毎の各コントロールユニットは、現時点における照度信号が入力されることなく、前記タイマーが所定の点灯時間を計時したと判断したとき、保守率を考慮した調光出力値を求め、該調光出力値を前記複数の照明器具に出力して、１つの点灯エリアに配設された複数の照明器具の照度を統一して調光制御する照度センサレス照明制御システムが記載されている。
【００１３】
本明細書には、さらに照度センサレス照明制御システムにおいて、前記コントロールユニットが、調光出力を変更すべき累計点灯時間を計時する第１タイマーと、照明灯を交換すべき累計点灯時間を計時する第２タイマーとを備え、照度を変更する度毎に前記第１タイマーをリセットする第１のタイマーリセット手段と、前記照明灯を交換する度毎に前記第２タイマーをリセットする第２のタイマーリセット手段を備えていることを特徴とする照明制御システムが記載されている。
【００１４】
本明細書には、さらに前記照度センサレス照明制御システムにおいて、前記コントロールユニットが、照度を変更する度毎にカウンタを歩進するカウンタ手段を備え、所定時間を経過したと判断したとき調光率を増加し、前記カウンタ手段が、設定された蛍光灯交換カウントを計数していないと判断したときはカウンタを歩進して前記タイマーをリセットし、蛍光灯交換カウントを計数したと判断したときはその旨を報知することを特徴とする照明制御システムが記載されている。
【００１５】
本明細書には、さらに前記照度センサレス照明制御システムにおいて、前記コントロールユニットが、累計点灯時間を記憶する記憶手段と前記記憶手段に記憶された累計点灯時間を更新する更新手段を備え、前記記憶手段に記憶された累計点灯時間に達したとき、調光率を増加するとともに、前記更新手段により前記記憶手段に記憶された累計点灯時間を更新し、その後調光率を増加する度毎に、前記更新手段により更新された累計点灯時間を延長更新することを特徴とする照明制御システムが記載されている。
【００１６】
本明細書には、さらに前記された照度センサレス照明制御システムにおいて、前記コントロールユニットが、所定時間が経過したと判断したとき、記憶手段に記憶された累計点灯時間・調光出力値対応テーブルを参照して累計点灯時間に対応する調光出力を求め、求めた調光出力を前記調光制御エリア内の全ての照明器具に対して出力することを特徴とする照明制御システムが記載されている。
【００１７】
本明細書には、さらに前記照度センサレス照明制御システムにおいて、前記コントロールユニットが、照明灯交換検知手段を備え、照明灯を交換する度毎に、前記照明灯交換検知手段により前記所定の点灯時間を計時するタイマーをリセットすることを特徴とする照明制御システムが記載されている。
【００１８】
請求項１に係る発明は、
多数の照明器具を備えた１つの全体照明エリアが複数の単位調光制御エリアに区分され、前記複数の単位調光制御エリアのうちから、狭くとも隣接する他の単位調光制御エリアに配置された照明器具の照明の影響を受けない範囲に設定した単位調光制御エリアを代表単位調光制御エリアとし、
該代表単位調光制御エリアにのみ代表照度センサを配置し、
前記全体照明エリアの全ての照明器具の照度を制御するコントロールユニットは、前記代表照度センサからの照度信号に基づいて調光信号を生成し、この生成した調光信号を前記全体照明エリアの全ての照明器具に対し出力するものであり、
当該コントロールユニットは、前記代表単位調光制御エリア内の全ての照明器具が点灯状態にある条件が所定時間継続したと判断したとき、前記代表単位調光制御エリアに配設された前記代表照度センサの照度信号に基づいて調光信号を生成し、生成した調光信号を前記全体照明点灯エリアの全ての照明器具に対し出力して、当該照明器具の照度を統一して設定された照度に調光制御する照明制御システム。
【００２１】
請求項２に係る発明は、請求項１記載された照明制御システムにおいて、コントロールユニットは、代表照度センサからの照度信号に基づいて調光信号を生成し、この生成した調光信号を代表単位調光制御エリアの全ての照明器具に出力し、このときの代表単位調光制御エリアの照度が所定の照度に達しているか否か判断し、所定の照度に達していないと判断したとき、前記代表照度センサから新たに取得した照度信号に基づいて調光信号を再度生成し、この再度生成した調光信号を代表単位調光制御エリアの全ての照明器具に再度出力する作業を、所定の照度に達していると判断されるまで繰り返し実行し、所定の照度に達していると判断されたときの調光信号を、全体照明エリアの全ての照明器具に対し出力することを特徴としている。
【００２２】
請求項３に係る発明は、請求項２に記載された照明制御システムにおいて、代表単位調光制御エリアは、単位調光制御エリアのうちから少なくとも２つ選択され、代表照度センサは、選択された各代表単位調光制御エリアに配置され、コントロールユニットは、各代表照度センサからの複数の照度信号を平均した照度信号に基づいて１つの調光信号を生成し、この生成した調光信号を各代表単位調光制御エリアの全ての照明器具に出力することを特徴としている。
【００２３】
請求項４に係る発明は、請求項１乃至請求項３のいずれかに記載された照明制御システムにおいて、全体照明エリアは、昼光利用可能エリアを除く昼光利用不可能エリアとされていることを特徴としている。
【００２４】
請求項５係る発明は、請求項１乃至請求項４のいずれかに記載された照明制御システムにおいて、人検知センサが照明器具を点滅する区画である点灯エリア毎に設置され、人検知センサが人を検知したとき当該点灯エリアの照明器具を点灯し、人検知センサが人を検知しなくなったとき当該点灯エリアの照明器具を消灯・減光制御することを特徴としている。
【発明の効果】
【００２５】
本明細書に開示された発明によれば、照明器具単体のコストを低廉にするとともに、照明器具設置工事を簡略化して施工コストを低減し、照度センサを設けることなく、照明灯の累計点灯時間に応じて劣化する照明効率を正確に補って調光出力を制御することができる照明制御システムを提供することができる。
【００２６】
さらに、本明細書に開示された発明によれば、各照明器具の点灯時間が同一である点灯エリアを１つの制御対象としているので、照明器具間で点灯時間にばらつきがなく、点灯エリア間において均一な照度制御が可能となる。
【００２７】
さらに、本明細書に開示された発明によれば、簡易なソフトウェア構成で制御ＣＰＵの負担を軽減することができる。
【００２８】
さらに、本明細書に開示された発明によれば、照度を変更する度毎に累計点灯時間変更手段により、適切な調光出力値とするための次回のタイマーの累計点灯時間を任意に変更することが可能となり、精緻な照度制御を行うことができる。
【００２９】
さらに、本明細書に開示された発明によれば、制御ＣＰＵの負担を軽くして迅速に適切な調光出力値を求めることができる。
【００３０】
さらに、本明細書に開示された発明によれば、照明灯交換時におけるタイマーリセット作業を簡易化でき、メンテナンスフリーとすることができる。
【００３１】
請求項１に係る発明によれば、代表単位調光制御エリアにのみ代表照度センサが配置されるシステム構成としたから、照度センサを多数の点灯エリア毎に設置する必要がなくなるので、照度センサの設置個数を著しく少なくして、部品代、施工コストを低減して照明制御システムを安価に提供することができる。
また、コントロールユニットを簡素化して故障の発生を抑制してメンテナンス費用を低減することができる。
【００３２】
さらに、本発明によれば、代表単位調光制御エリア内の複数の点灯エリアのうち１つ以上のエリアで消灯していれば、照度センサの信号レベルは低いものとなり、照明器具を補正すべき適正値より高めに補正することとなることを確実に防止することができる。
これにより、周辺の蛍光器具から受けるセンシングの影響を抑制して正確な調光制御を行って、明確に省エネルギーに資することが可能となる。
【００３３】
さらに、本発明によれば、各代表単位調光制御エリア内の全ての点灯エリアが点灯状態にある条件が所定時間継続するまで、新たな調光制御を留保することとしたから、調光出力が安定するのを待って調光制御して安定した調光制御を実現することができる。
【００３４】
請求項２に係る発明によれば、代表照度センサの照度信号をフィードバックして調光出力の適正値を短時間に求めることができる。
【００３５】
請求項３係る発明によれば、請求項２に係る発明において調光出力の適正値を求めるに際し、各代表照度センサからの複数の照度信号を平均した照度信号に基づいて１つの調光信号を生成し、この生成した調光信号を各代表単位調光制御エリアの全ての照明器具に出力することとしたから、整合性ある調光出力の適正値を速やかに求めることができる。
【００３６】
請求項４に係る発明によれば、制御対象である全体照明エリアを、昼光利用可能エリアを除く昼光利用不可能エリアに限定したから、日光や雷光等の外乱を除去し、安定した照度制御を達成することができる。
【００３７】
請求項５に係る発明によれば、人検知センサが照明器具を点滅する区画である点灯エリア毎に設置したことに伴い、人検知センサの出力を代表単位調光制御エリア内の全ての照明器具が点灯状態にあるか否かの判断のための信号として利用することができる。
また、人の在／不在に基づき照明器具の点灯、消灯、減光をきめ細かく制御して、点灯エリア内に人が存在するときのみ照明器具を点灯して、消し忘れによる無駄なエネルギー消費を抑制して、省エネルギーをさらに徹底することができる。
【図面の簡単な説明】
【００３８】
【図１】図１は、本発明の実施例１の照明制御システム構成図である。
【図２】図２は、本発明の実施例１の照明制御システムのフローチャート（その１）である。
【図３】図３は、本発明の実施例１の照明制御システムのフローチャート（その２）である。
【図４】図４は、本発明の実施例１の照明制御システムのフローチャート（その３）である。
【図５】図５は、本発明の実施例２の照明制御システム構成図である。
【図６】図６は、本発明の実施例２の照明制御システムのフローチャートである。
【図７】図７は、本発明の実施例２の全体照明エリア内の代表単位調光制御エリアと該エリア内の点灯エリアを模式的に示す調光制御エリア模式図である。
【図８】図８は、本発明の実施例２において、代表照度センサを具体的に配置した代表単位調光制御エリア模式図である。
【図９】図９は、実施例１の従来発明の照明制御システム構成図である。
【図１０】図１０は、実施例２の従来発明の照明制御システム構成図である。
【図１１】図１１は、同従来発明の照明制御システムのフローチャートである。
【図１２】図１２は、同従来発明の調光制御エリアと一致する点灯エリア毎に照度センサを設置した模式図である。
【図１３】図１３は、同従来発明を改良して複数の点灯エリアに１つの代表照度センサを設置した模式図である。
【実施例１】
【００３９】
特許請求の範囲の補正によって、実施例１は請求項に記載された発明の実施例には該当せず、参考例に相当するものであるが、説明の関係上本明細書では、実施例１と表現とする。
図１乃至図４を参照して本実施例について説明する。
図１に示される照明制御システムは、任意に設定された調光制御エリア毎、例えば３．６ｍ×７．２ｍの区画毎、に配設された１つのコントロールユニットと複数の照明器具とから構成されている。
【００４０】
従来例は、図９に示されるように、１つの照明器具に対して１つのコントロールユニットを設けていたので、１つひとつの照明器具が高価なものにならざるを得なかった。
この点について改善することを意図して、この実施例１は、１つのコントロールユニットと複数の照明器具とから構成されていることを特徴としており、この照明制御システムには、照度センサが備えられておらず、前記調光制御エリアには複数の照明器具のみが配設されている。
このためコントロールユニットの制御ＣＰＵには、照度センサからの現時点における照度信号が入力されることはなく、内蔵する使用時間計測タイマーから送信される計時データ信号が入力される。
【００４１】
当該計時データ信号が入力されると制御ＣＰＵは、この計時データと記憶部に記憶された設定時間とを比較し、照明器具の点灯時間が所定時間に達したと判断すると、照明器具の使用劣化に伴う照度低下を補正するべく、例えば、一定時間経過する度毎に記憶手段に記憶された一定の調光率増加分を加算したり、記憶手段に記憶された累計点灯時間・調光出力値対応テーブルを参照して、その累計点灯時間に対応する調光出力を求めるといったように、保守率を考慮した調光出力値を求め、調光回路からＰＷＭ信号を照明器具の安定器受信部に出力してその照度を制御して、照明灯である蛍光灯の照度をアップする。
このとき制御ＣＰＵは、同一の調光制御エリアに配設された複数の照明器具の各安定器に対して同一のＰＷＭ信号を出力して、複数の照明器具の照度を統一して調光制御する。
【００４２】
図２に、実施例１の照明制御システムの代表的なフローチャート（その１）を示す。
照明器具を最初にビルディング等に設置されてスタート（ステップ１）すると、照明灯である蛍光灯の使用開始後交換されるまでの累計使用時間を計測する、本発明の第２のタイマーを構成するタイマー１と、照度を補正すべきであると考えられる所定時間を計測する、本発明の第１のタイマーを構成するタイマー２をリセット・スタート（ステップ２、３）させ、制御ＣＰＵは自らが予め設定されて記憶する所定時間を経過したか否かをチェック（ステップ４）し、設定された所定時間が経過しないと判断したとき、無限ループを実行する。
なお、制御ＣＰＵが、タイマー１が一定の時間を計測したとき一定の調光率を増加するように、記憶部に一定の時間と一定の調光増加率が記憶させてある。
【００４３】
制御ＣＰＵが所定時間を経過したと判断したとき、複数の照明器具の安定器に対して、調光率が上記の一定の調光増加率が加算されて増加された、前回の出力よりも少し大きい同一のＰＷＭ信号を出力して調光率を増加（ステップ５）した後、蛍光灯を交換すべき時間に達したか否かを判断する（ステップ６）。
【００４４】
ステップ６において、蛍光灯を交換すべき時間に達していないと判断したとき、ステップ２とステップ３の間に戻ってタイマー１をリセット・スタート（ステップ３）させる。
【００４５】
次いで、制御ＣＰＵは、蛍光灯の累計点灯時間が、蛍光灯の寿命である例えば１２０００時間に到達したと判断したときは、その旨を報知して管理者に蛍光灯の交換を促す。そして管理者はタイマーをリセット・スタート（ステップ２）させ、上述のサイクルを繰り返し実行する。
【００４６】
上述の実施例のフローチャート（その１）においては、タイマーを２つ備えたものについて説明したが、以下に、点灯時間計測タイマーを１つ備えた２つの変形例のフローチャートについて説明する。
先ず、図３に変形例１の照明制御システムのフローチャート（その２）を示す。
照明器具が最初にビルディング等に設置されてスタート（ステップ１１）すると、使用時間計測タイマーをリセット・スタート（ステップ１２）させ、制御ＣＰＵは自らが予め設定されて記憶する所定時間を経過したか否かをチェック（ステップ１３）し、設定された所定時間が経過しないと判断したとき無限ループを実行する。
【００４７】
制御ＣＰＵが所定時間を経過したと判断したとき、複数の照明器具の安定器の通信部に対して同一のＰＷＭ信号を出力して調光率を増加（ステップ１４）する。次いで蛍光灯を交換すべき時間に達したか否かを判断する（ステップ１５）。
【００４８】
ステップ１５において、制御ＣＰＵは、カウンタが蛍光灯の寿命である約１２０００時間に相当する、設定された蛍光灯交換カウントを計数していないと判断したときは、蛍光灯を交換すべき時間に達していないので、カウンタを１インクリメント（ステップ１６）した後、ステップ１１とステップ１２の間に戻ってタイマーをリセット・スタート（ステップ１２）させる。
【００４９】
次いで、制御ＣＰＵは、カウンタが蛍光灯交換カウントを計数したと判断したときは、その旨を報知して管理者に蛍光灯の交換を促す。そして管理者はタイマーをリセット・スタート（ステップ１２）させ、上述のサイクルを繰り返し実行する。
【００５０】
次いで、変形例２の照明制御システムのフローチャート（その３）について、図４を参照して説明する。
このフローチャート（その３）は、上述したフローチャート（その２）のステップ１６に対応するステップ２６において、累計点灯時間を書き換えて延長変更するステップを有し、これに伴ってステップ２３における判断内容が、フローチャート（その２）とは異なっている。
【００５１】
このフローチャート（その３）の例では、制御ＣＰＵに予め設定されている時間が累計点灯時間であり、このため例えば、１回目の累計点灯時間に達したと判断したとき、その２と同じように調光率を増加する。
そしてステップ２５において、照明灯交換検知していないと判断したとき、ステップ２６において、制御ＣＰＵに記憶されている累計点灯時間を書き換えて、次のチェック累計点灯時間を更新するものである。
【００５２】
具体的には、予め制御ＣＰＵにその累計点灯時間を記憶しておき、累計点灯時間に達したと判断される度毎に、制御ＣＰＵに記憶された前回の累計点灯時間を次回の累計点灯時間に書き換えて、累計点灯時間を延長更新するものである。
これにより、フローチャート（その２）のステップ１３に対応するステップ２３では、累計点灯時間に達したか否かを判断し、達したと判断したときは、調光出力を大きくして調光率を増加させればよい。
【００５３】
一方、ステップ２５において、照明灯交換検知手段が照明灯の交換を検知したとき、すなわち、照明灯が交換される度毎に自動的にタイマーをリセット・リスタートする。
【００５４】
このソフトウェアの例では、所定の照度を維持するためには、使用している蛍光灯の照度特性として、例えば、累計使用時間９８０時間のとき蛍光灯の調光出力値を７０％に、同じく１６３０時間のとき７３％に調光すべきことが予め判明している場合、書かれている累計使用時間９８０時間を１６３０時間に書き換えることができるから、調光出力に応じて自在に累計使用時間を設定することができるから、精緻な調光制御をすることができる。
【００５５】
以上の照明制御システムの実施例、変形例において、調光制御エリアを、壁スイッチや人体検知センサと連動した点灯スイッチにより点灯・消灯する点灯エリアと同じとすれば、各照明器具の点灯時間が同一である点灯エリアを１つの制御対象としているので、照明器具間で点灯時間にばらつきは存在せず、点灯エリア間において均一な照度制御が可能となる。
【００５６】
また、実施例１、変形例１、２のソフトウェアの例では、蛍光灯交換時のタイマーリセットを管理者に行わせるシステムとしているが、照明灯交換検知手段を設けて自動的にタイマーリセットを行うようにすれば、メンテナンスを簡易にすることができる。
【００５７】
さらに、上記実施例１、変形例１、２のソフトウェアにおいて、制御ＣＰＵの調光率を増加するための調光出力の求め方として、記憶手段に記憶された累計点灯時間・調光出力値対応テーブルを参照して累計点灯時間に対応する調光出力を求める方法を採用すれば、制御ＣＰＵの負担を軽くして迅速に適切な調光出力値を求めることができる。
以上、予め定められたタイミングで予め定められた調光出力にて調光制御することにより、照明器具の照度を一定に保つ発明について説明したが、以下、常時、現在の照明器具の照度を計測し計測した照度が予め定められた照度と一致するよう調光制御することにより、照明器具の照度を一定に保つ発明について説明する。
【実施例２】
【００５８】
図５乃至図１３を参照して本発明の実施例２について説明する。
この実施例２の従来例は、図１２に示されるように、日光や雷光等の外乱の影響を受けるペリメータゾーン以外のインテリアゾーン全体が照度制御対象とされ、この照度制御対象は点灯スイッチ等によって点灯・消灯される破線の点灯エリアに区分され、同時にこの点灯エリアと同一の区画が実線の調光制御エリアとされている。
そして、この調光制御エリア毎に照度センサが設けられている。
【００５９】
この調光制御システムは、図１０に示されるように、上記調光制御エリア毎にコントロールユニットを備え、各調光制御エリアはこのコントロールユニットにより個別に調光制御されている。
【００６０】
この調光制御システムは、図１１に示されるフローチャートにしたがって制御され、制御ＣＰＵは、現在照度が設定照度と一致している限り無限ループを実行し、現在照度が設定照度と一致していないと判断したとき、現在照度が設定照度より低いか否か判断し、低いと判断したときは調光出力を増加し、高いと判断したときは調光出力を減少して、再度現在照度が設定照度と一致するかの判断ステップに戻り、上記ルーチンを繰り返し実行する。
【００６１】
この調光制御システムは、調光制御エリア毎に独立して調光制御するものであるから、正確な調光制御を達成することができる反面、調光制御エリア毎にコントロールユニットと照度センサを配設する必要があることから、調光制御システムを構築するにあたってのイニシャルコストが嵩むとともに、メンテナンス対象機器類が多数にのぼりメンテナンスコストも嵩む恐れがある。
【００６２】
そこでこの点を改善するために、照度センサとコントロールユニットを、例えば図１３に示す４つの点灯エリアを集合して１つの調光制御エリアとして、この調光制御エリアを対象とした代表照度センサ調光制御システムを組もうとすると、これら４つの点灯エリアのうち１つでも消灯された調光制御エリアが出現すると、代表照度センサは通常でない減光された照度を検知してしまう関係から、調光制御エリアを過剰照度に制御してしまう不都合が生じる。
【００６３】
本発明の実施例２は、この不都合を解消しつつ、イニシャルコストとメンテナンスコストをともに低減して、高度の省エネルギーに資する調光制御システムを提供しようとするものである。
【００６４】
本発明の実施例２の調光制御システムは、図５においては省略して３つの照明器具が表記されているが、実際には図７、図８に示されるような多数の照明器具と、これらを制御する１つのコントロールユニットと、このコントロールユニットと通信可能に結合された少なくとも２つの複数の代表照度センサとから構成されている。
【００６５】
コントロールユニットは、制御ＣＰＵと、広い面積の天井等に多数設置された個々の照明器具に対してＰＷＭ信号を個別に出力する多数の調光回路と、代表照度センサと通信する通信部とから構成されている。
コントロールユニットは、図１２左図のインテリアゾーンを全体的な調光制御対象とする全体照明エリアとし、該エリアを図７、８に実線で示す複数の単位調光制御エリアに区分し、その複数の単位調光制御エリアのうちから選択された単位調光制御エリアを代表単位調光制御エリアとして、照明エリア全体を照度制御している。
【００６６】
代表照度センサは、本実施例においては、７２の単位調光制御エリアのうち、ペリメータゾーンに近い場所とその場所から最も遠い場所の２つの単位調光制御エリアに設置されている。
制御ＣＰＵは、これら２つの代表照度センサからの照度信号を通信部にて受信して、２つの信号を平均してその時点における代表単位調光制御エリアの照度（以下「代表照度」という。）を確定する。
【００６７】
図６を参照して、本発明の特徴である制御ＣＰＵの動作を説明する。
制御ＣＰＵは、代表単位調光制御エリア内の照明器具は全て点灯しているか否かを判断する（ステップ３１）点が、本発明の第１の特徴である。
例えば図１３右図のように、代表単位調光制御エリアが４つの点灯エリアに区分されているケースにおいて、右下の点灯エリアが点灯していないときは、ステップ３４の代表照度と設定照度が一致しているか否かの判断を行わない。
すなわち、このときは無限ループを実行してステップ３４には進まない。
代表単位調光制御エリア内の照明器具が全て点灯していないときは、上述したように照明器具が過剰照明となり、エネルギーを浪費することとなるからである。
なお、照明器具が点灯中であるとの信号は、点灯スイッチのＯＮ動作信号や人検知センサの人検知信号を用いることができる。
【００６８】
代表単位調光制御エリア内の照明器具が全て点灯していると判断したとき制御ＣＰＵは、点灯時間が所定時間経過したか否かを判断する（ステップ３２）。この判断が本発明の第２の特徴である。
この構成により、各器具の照度が不安定な時期の照度をカットして適正な照度の計測値を取得するようにしている。
【００６９】
代表単位調光制御エリア内の全照明器具の点灯状態が所定時間継続した後、代表単位調光制御エリアの照度、すなわち、本実施例では２つの代表照度センサの平均照度（以下「代表照度」という。）が、設定照度と一致しているか否かを判断する（ステップ３４）。
代表照度が設定照度と一致していないときはステップ３５へ進み、代表照度は設定照度より低いか否かを判断する。
【００７０】
代表照度が設定照度より低いときは、制御ＣＰＵは代表単位調光制御エリアの調光回路から現在のＰＷＭ信号出力より若干大きめのＰＷＭ信号を出力（ステップ３６）し、逆に代表照度が設定照度より高いときは、調光回路から現在のＰＷＭ信号出力より若干小さめのＰＷＭ信号を出力（ステップ３７）し、設定照度と一致するまでこの動作を繰り返す、所謂フィードバック方式を実行するものである。
【００７１】
そして、代表単位調光制御エリアの代表照度が設定照度と一致したときは、それぞれの代表照度センサからの照度信号を平均した代表照度に基づいて、上記した全体照明エリアの全ての照明器具に対応する調光回路を介して調光信号を生成し、この生成した調光信号を対応する照明器具のそれぞれの安定器に対し出力して、当該照明器具の照度を設定された照度に統一して調光制御する。
【００７２】
このように、代表単位調光制御エリアにおいて先ず、フィードバック方式にて設定照度と一致させるための調光出力値を探索・決定し、この決定した調光出力値を制御対象とする全ての照明器具に対して適用する調光制御が本発明の第３の特徴である。
全照明器具に対する調光制御が完了したら、ステップ３１とステップ３２の間に戻り、連続して上記の動作を繰り返すものである。
【００７３】
代表照度センサは、この実施例では全体照明エリアに対し２つ配設することとしているが、３つ配設しても４つ配設しても構わない。
代表照度センサを多く配設すればするほど調光制御の精度の向上を図ることができるが、照度センサ設備費の増大との関係で考慮する必要がある。
また、代表照度センサ１つに対しコントロールユニットを１つ備える構成とすることもできる。但しこの場合は、コントロールユニットと代表照度センサが１対１の対応になるので、本実施例に比し調光制御の精度は多少下がるが問題はない。
さらに、照明器具設置台数が、コントロールユニットが制御可能な台数を超える場合には、その制御能力に応じて複数のコントロールユニットを設けることとすればよい。このときは、各コントロールユニットを統括する統括コントロールユニットを備えることが好ましい。
【００７４】
さらに、この実施例においては、代表単位調光制御エリアを４つの点灯エリアに区分したが、点灯エリアに区分しなくてもよい。
この場合は当然に、構築する調光制御システムに請求項９に係る発明を適用する必要はない。
さらにまた、代表単位調光制御エリアは、狭くとも隣接する他の単位調光制御エリアに配置された照明器具の照明の影響を受けない範囲を確保する必要がある。
本明細書において『狭くとも隣接する他の単位調光制御エリアに配置された照明器具の照明の影響を受けない範囲』とは、当該範囲内に設置された照度センサが、隣接する範囲の照明器具が点灯し、消灯しているいずれの場合においても、当該範囲において同一の照度検出値を示すことが求められる範囲であって、照度センサの検知範囲を超えた広さの範囲で、検知照明器具の配置高さに応じて変動する範囲を意味する。
例えば、現時点における平均的な照度センサの能力では、照明器具が標準的な天井高である２．８ｍの高さに配設されている場合にあっては、狭くとも照明器具の照明の影響を受けない範囲は７．２ｍ平方以上の範囲に設定するのが適正な範囲となることが判明している。
【００７５】
本発明にしたがってパーソナル調光制御システムを構築する場合にあっては、人検知センサを照明器具を点滅する区画であるパーソナルな点灯エリア毎に設置して、人検知センサが人を検知したとき当該点灯エリアの照明器具を点灯し、人検知センサが人を検知しなくなったとき当該点灯エリアの照明器具を消灯・減光制御するようにすればよい。
【図１】
0005636186.tif 000002
【図２】
0005636186.tif 000003
【図３】
0005636186.tif 000004
【図４】
0005636186.tif 000005
【図５】
0005636186.tif 000006
【図６】
0005636186.tif 000007
【図７】
0005636186.tif 000008
【図８】
0005636186.tif 000009
【図９】
0005636186.tif 000010
【図１０】
0005636186.tif 000011
【図１１】
0005636186.tif 000012
【図１２】
0005636186.tif 000013
【図１３】
0005636186.tif 000014